【手続補正書】
【提出日】平成22年6月14日(2010.6.14)
【手続補正１】
【補正対象書類名】特許請求の範囲
【補正対象項目名】全文
【補正方法】変更
【補正の内容】
【特許請求の範囲】
【請求項１】
遷移経路が定義されたジョブのワークフローを制御する情報処理装置であって、
前記遷移経路を、組織情報および該組織情報のバージョンを関連付けて定義する遷移経路設定手段と、
前記組織情報を構成する要素毎に当該要素の有効となる期間の開始を示すバージョンを特定可能な開始バージョン識別情報および期間の終了を示すバージョンを特定可能な終了バージョン識別情報を記憶する組織情報格納手段と、
前記バージョン毎の有効となる期間を特定する日時情報を記憶するバージョン有効期間格納手段と、
前記ジョブに関連付いた組織情報および該組織情報のバージョンに応じて、該ジョブの遷移先を決定し、該決定された遷移先にジョブを遷移させてワークフローを進行させるワークフロー進行手段と、
前記組織情報の更新指示を受付けた際に前記要素の更新種別を判別する要素更新判別手段と、
前記要素更新判別手段による判別結果に応じて前記組織情報格納手段に格納された開始バージョン識別情報または終了バージョン識別情報を更新する組織情報更新手段と、
を有することを特徴とする情報処理装置。
【請求項２】
前記要素更新判別手段により要素が変更されたと判別された場合、
前記組織情報更新手段は、前記組織情報格納手段に格納された現在の要素の終了バージョン識別情報を現在のバージョンに、かつ変更後の要素を作成するとともに該要素の開始バージョン識別情報を現在のバージョンにかつ該要素の終了バージョン識別情報を終了バージョンがないことを示す情報に更新することを特徴とする請求項１記載の情報処理装置。
【請求項３】
前記要素更新判別手段により要素が追加されたと判別された場合、
前記組織情報更新手段は、前記追加された要素を作成するとともに該要素の開始バージョン識別情報を現在のバージョンにかつ該要素の終了バージョン識別情報を終了バージョンがないことを示す情報に更新することを特徴とする請求項１または２記載の情報処理装置。
【請求項４】
前記要素更新判別手段により要素が削除されたと判別された場合、
前記組織情報更新手段は、前記削除された要素の終了バージョン識別情報を現在のバージョンに更新することを特徴とする請求項１乃至３のいずれか１項に記載の情報処理装置。
【請求項５】
前記組織情報更新手段により更新された要素の開始バージョン識別情報および終了バージョン識別情報に応じて、前記ジョブに関連付けするバージョンを再確定する再確定手段と、
前記再確定手段により再確定されたバージョンに応じて前記ジョブの遷移先を変更する組織付替手段を更に有し、
該組織付替手段は前記再確定手段により再確定されたバージョンに基づくジョブの遷移先と前記再確定前のバージョンに基づくジョブの遷移先とが一致する場合には、前記ジョブの遷移先は変更しない、ことを特徴とする請求項１乃至４のいずれか１項に記載の情報処理装置。
【請求項６】
前記再確定手段は、前記再確定されたバージョンと前記再確定前のバージョンとが一致する場合には、前記バージョンの再確定は行わない、ことを特徴とする請求項５に記載の情報処理装置。
【請求項７】
前記組織情報は、部門を示す部門情報、役割を示すロール情報およびユーザを示すユーザポジション情報を含むことを特徴とする請求項１乃至６のいずれか１項に記載の情報処理装置。
【請求項８】
遷移経路が定義されたジョブのワークフローを制御する情報処理装置の制御方法であって、
組織情報登録手段が、組織情報を構成する要素毎に当該要素の有効となる期間の開始を示すバージョンを特定可能な開始バージョン識別情報および期間の終了を示すバージョンを特定可能な終了バージョン識別情報を組織情報格納手段に登録する組織情報登録ステップと、
バージョン有効期間登録手段が、前記バージョン毎の有効となる期間を特定する日時情報をバージョン有効期間格納手段に登録するバージョン有効期間登録ステップと、
遷移経路設定手段が、前記遷移経路を、前記組織情報および該組織情報のバージョンを関連付けて定義する遷移経路設定ステップと、
ワークフロー進行手段が、前記ジョブに関連付いた組織情報および該組織情報のバージョンに応じて、該ジョブの遷移先を決定し、該決定された遷移先にジョブを遷移させてワークフローを進行させるワークフロー進行ステップと、
要素更新判別手段が、前記組織情報の更新指示を受付けた際に前記要素の更新種別を判別する要素更新判別ステップと、
組織情報更新手段が、前記要素更新判別ステップによる判別結果に応じて前記組織情報格納手段に格納された開始バージョン識別情報または終了バージョン識別情報を更新する組織情報更新ステップと、
を有することを特徴とする情報処理装置の制御方法。
【請求項９】
遷移経路が定義されたジョブのワークフローを制御するコンピュータを、
前記遷移経路を、組織情報および該組織情報のバージョンを関連付けて定義する遷移経路設定手段と、
前記組織情報を構成する要素毎に当該要素の有効となる期間の開始を示すバージョンを特定可能な開始バージョン識別情報および期間の終了を示すバージョンを特定可能な終了バージョン識別情報を記憶する組織情報格納手段と、
前記バージョン毎の有効となる期間を特定する日時情報を記憶するバージョン有効期間格納手段と、
前記ジョブに関連付いた組織情報および該組織情報のバージョンに応じて、該ジョブの遷移先を決定し、該決定された遷移先にジョブを遷移させてワークフローを進行させるワークフロー進行手段と、
前記組織情報の更新指示を受付けた際に前記要素の更新種別を判別する要素更新判別手段と、
前記要素更新判別手段による判別結果に応じて前記組織情報格納手段に格納された開始バージョン識別情報または終了バージョン識別情報を更新する組織情報更新手段として機能させるためのプログラム。
【請求項１０】
遷移経路が定義されたジョブのワークフローを制御するコンピュータを、
前記遷移経路を、組織情報および該組織情報のバージョンを関連付けて定義する遷移経路設定手段と、
前記組織情報を構成する要素毎に当該要素の有効となる期間の開始を示すバージョンを特定可能な開始バージョン識別情報および期間の終了を示すバージョンを特定可能な終了バージョン識別情報を記憶する組織情報格納手段と、
前記バージョン毎の有効となる期間を特定する日時情報を記憶するバージョン有効期間格納手段と、
前記ジョブに関連付いた組織情報および該組織情報のバージョンに応じて、該ジョブの遷移先を決定し、該決定された遷移先にジョブを遷移させてワークフローを進行させるワークフロー進行手段と、
前記組織情報の更新指示を受付けた際に前記要素の更新種別を判別する要素更新判別手段と、
前記要素更新判別手段による判別結果に応じて前記組織情報格納手段に格納された開始バージョン識別情報または終了バージョン識別情報を更新する組織情報更新手段として機能させるためのプログラムを記録したコンピュータ読み取り可能な記録媒体。
【手続補正２】
【補正対象書類名】明細書
【補正対象項目名】発明の名称
【補正方法】変更
【補正の内容】
【発明の名称】情報処理装置および情報処理装置の制御方法およびプログラムおよび記録媒体
【手続補正３】
【補正対象書類名】明細書
【補正対象項目名】０００７
【補正方法】変更
【補正の内容】
【０００７】
本発明は、上記の問題点を解決するためになされたものである。本発明の目的は、ワークフローにおいて新旧を含む複数のバージョンを共存させ、組織情報を効率的に管理できる仕組みを提供することである。
【手続補正４】
【補正対象書類名】明細書
【補正対象項目名】０００８
【補正方法】変更
【補正の内容】
【０００８】
本発明は、遷移経路が定義されたジョブのワークフローを制御する情報処理装置であって、前記遷移経路を、組織情報および該組織情報のバージョンを関連付けて定義する遷移経路設定手段と、前記組織情報を構成する要素毎に当該要素の有効となる期間の開始を示すバージョンを特定可能な開始バージョン識別情報および期間の終了を示すバージョンを特定可能な終了バージョン識別情報を記憶する組織情報格納手段と、前記バージョン毎の有効となる期間を特定する日時情報を記憶するバージョン有効期間格納手段と、前記ジョブに関連付いた組織情報および該組織情報のバージョンに応じて、該ジョブの遷移先を決定し、該決定された遷移先にジョブを遷移させてワークフローを進行させるワークフロー進行手段と、前記組織情報の更新指示を受付けた際に前記要素の更新種別を判別する要素更新判別手段と、前記要素更新判別手段による判別結果に応じて前記組織情報格納手段に格納された開始バージョン識別情報または終了バージョン識別情報を更新する組織情報更新手段とを有することを特徴とする。
【手続補正５】
【補正対象書類名】明細書
【補正対象項目名】０００９
【補正方法】変更
【補正の内容】
【０００９】
本発明によれば、組織情報の開始バージョンと終了バージョンを管理することで、組織情報があった場合の組織変更を効率的に管理し実行することができる。